(57)【要約】  本出願書は、アクセス開口部のある容器の受け皿と、容器の蓋と、シールとを備えるセンタリング支援を開示している。シールは、容器を閉じた状態において容器の受け皿と容器の蓋との間に配置されている。センタリング支援は、容器の蓋あるいは容器の受け皿の一方に設けられている第１のセンタリング器具と、その容器の蓋あるいは容器の受け皿の他方に設けられている第２のセンタリング器具とを有している。第１及び第２のセンタリング器具は、容器を閉じた状態において、アクセス開口部の全周に沿ってシールが容器の受け皿及び容器の蓋に確実に接触するように相互作用している。
2015529601.tif 000002
【特許請求の範囲】
【請求項１】
アクセス開口部のある容器の受け皿と、
容器の蓋と、
前記容器を閉じた状態において前記容器の受け皿と前記容器の蓋との間に配置されているシールと
を備える容器に対するセンタリング支援であって、
第１のセンタリング器具が前記容器の蓋あるいは前記容器の受け皿の一方に設けられ、
第２のセンタリング器具が前記容器の蓋あるいは前記容器の受け皿の他方に設けられており、
前記第１及び前記第２のセンタリング器具は、前記容器を閉じた状態において、前記アクセス開口部の全周に沿って前記シールが前記容器の受け皿及び前記容器の蓋に確実に接触するように相互作用していることを特徴とする、センタリング支援。
【請求項２】
前記容器を閉じた状態における前記第１と前記第２のセンタリング器具間の隙間が、前記センタリング器具を設けていない場合における前記容器の蓋と前記容器の受け皿との間の隙間よりも小さいことを特徴とする、請求項１に記載のセンタリング支援。
【請求項３】
前記第１のセンタリング器具が多数のオス型部材を有し、前記第２のセンタリング器具が多数のメス型部材を有していることを特徴とする、請求項１又は２に記載のセンタリング支援。
【請求項４】
前記第１と前記第２のセンタリング器具が、それぞれ少なくとも１つのオス型とメス型のセンタリング部材を有していることを特徴とする、請求項１〜３のいずれか一項に記載のセンタリング支援。
【請求項５】
少なくとも１つの前記オス型センタリング部材が、主に、平行６面体、詳細には直方体、錐体、角錐台、角柱、シリンダ、円錐、円錐台、部分楕円、あるいは複数の同一の及び／又は異なる上述の本体から構成されている本体の形を有し、付属する前記メス型センタリング部材は、好ましくは、対応するマイナス形状を有していることを特徴とする、請求項３又は４に記載のセンタリング支援。
【請求項６】
少なくとも１つの前記オス型センタリング部材及び／又は前記メス型センタリング部材が、少なくとも部分的に円錐形の部分を有しているため、前記容器の蓋を取り付け始めたときの前記オス型と前記メス型のセンタリング部材間の隙間は、前記容器を閉じた状態のときよりも大きく、付属する前記メス型センタリング部材及び／又は前記オス型センタリング部材が、好ましくは、対応するマイナス形状又はプラス形状を有していることを特徴とする、請求項３〜５のいずれか一項に記載のセンタリング支援。
【請求項７】
前記センタリング器具が、前記容器を閉じた状態において、前記センタリング器具が容器内部の外に位置しているように配置されていることを特徴とする、請求項１〜６のいずれか一項に記載のセンタリング支援。
【請求項８】
前記第１のセンタリング器具が、直接又は前記容器の受け皿の外部正面にそれぞれ１つ配置されているフロントパネルを介して前記外部正面に取り付けられている、及び／又は前記第２のセンタリング器具が、前記容器の蓋の少なくとも２つの対向する側面に設けられている閉鎖部材の周辺部に取り付けられていることを特徴とする、請求項７に記載のセンタリング支援。
【請求項９】
前記第１のセンタリング器具が、４つの平坦な突出部を有しており、該突出部は、容器縦軸と容器横軸とに対して外側方向に角度を形成し、前記突出部は、それぞれが閉鎖収納部の両側において２つのフロントパネルの上側に設けられており、前記２つのフロントパネルは前記容器の受け皿の２つの外部正面に配置されており、
平坦な前記突出部は、それらの外側正面の方が中央正面よりも強く傾斜しているため、前記突出部は遠位方向に、主として外側から細くなっており、
前記第２のセンタリング器具は、４つの窪みを有しており、前記窪みは、対応する平坦な前記突出部を実質的にポジティブ結合によって収納し、
それぞれ２つの窪みが、前記容器の蓋の内部正面と前記シールとの間に設けられている１つの構成部品の中に形成されていることを特徴とする、請求項１〜７のいずれか一項に記載のセンタリング支援。
【請求項１０】
前記第１のセンタリング器具が、前記容器の蓋の内側において前記シール内部に設けられており、前記第２のセンタリング器具が、前記容器の受け皿に設けられていることを特徴とする、請求項１〜６のいずれか一項に記載のセンタリング支援。
【請求項１１】
前記第１のセンタリング器具が、偶数のオス型センタリング部材から成り、該センタリング部材は、前記容器の蓋のコーナ及び／又は前記容器の蓋の各側面の中央に配置されていることを特徴とする、請求項３〜１０のいずれか一項に記載のセンタリング支援。
【請求項１２】
前記センタリング器具が、前記シールよりも高い弾性率を有する材料から成り、好ましくは剛性の高いプラスチック又は金属から成ることを特徴とする、請求項１〜１１のいずれか一項に記載のセンタリング支援。
【請求項１３】
前記センタリング支援が、回転角３６０°／ｎの点対称構造を有しており、このとき、ｎは正の整数であり、好ましくは１よりも大きい整数であることを特徴とする、請求項１〜１２のいずれか一項に記載のセンタリング支援。
【発明の詳細な説明】
【技術分野】
【０００１】
本発明は、容器の蓋に対するセンタリング支援及び詳細には医療用滅菌容器の蓋に対するセンタリング支援に関する。
【背景技術】
【０００２】
特に滅菌容器の場合であるが、その他の多くの容器の場合もまた、容器の蓋と容器の受け皿との間にはシールが設けられている。容器の蓋と容器の受け皿との間にあるシールは、例えば、折り畳み式シールの形に形成されている二重シールであってよい。このシールタイプの場合、２つの密閉領域が設けられている。第１の密閉部分は、容器の蓋に取り付けられているシールの第１のシールリップを容器の受け皿の前壁に取り付けることによって生じる。この場合、第１のシールリップは、その固定部分に対して上方へ変形し、これにより、第１のシールリップの下部に配置されている第２のシールリップが内側へずれるため、第２のシールリップは、側面で容器の受け皿の外壁に当たって、第２の密閉部分を形成する。シールリップ、容器の蓋及び容器の受け皿の寸法に応じて、ある程度の側面の隙間が設けられており、この隙間を使って、容器の蓋を容器の受け皿の上に載せることができる。側面の隙間とは、この場合、シール面の範囲内におけるあらゆる方向への隙間を意味している。シール面は、容器の受け皿のアクセス開口部に沿って通るシールの経路によって決定されている。シールが１つの平面内に伸びない場合、そのシール面は容器の受け皿のアクセス開口部のベクトル上の法平面である。
【０００３】
しかし、容器の蓋が斜めに又はずれて容器の受け皿に載せられると、容器の片側では第２のシールリップが部分的に容器の受け皿の前壁に載せられてしまい、前述の機能原理が作用しなくなる。同時に、反対側の容器側面では、第１のシールリップが少なくとも部分的に容器の受け皿の壁の横に位置決めされてしまうこともあるため、この箇所では容器の蓋と容器の受け皿との間に密閉部分がまったく形成されず、形成された隙間から空気が容器の内外に自由に流れてしまう可能性がある。
【０００４】
また、容器の蓋と容器の受け皿との間に簡単なシールを配置する場合も、同様のことが生じるおそれがある。そのようなシールに用いる材料としては、シリコーンがしばしば使用される。なぜなら、シリコーンは柔軟性に優れており、とくに滅菌処理をしても損傷しないからである。しかし、多くの場合、シリコーンシールは非常に柔らかいため、容器の蓋が容器の受け皿の上に正しく位置決めされているかどうか、はっきりした触覚によるフィードバックが容器のユーザーに与えられない。さらに、シール自体が、その柔軟さ故に、容器の蓋を容器の受け皿に対して正しく位置調整することにあまり適していない。しかしながら、シールは、その他のエラストマからも製造することができる。
【発明の概要】
【発明が解決しようとする課題】
【０００５】
従って、本発明の課題は、容器の蓋が正しい状態又は位置で容器の受け皿の上に載せられることで周辺に対する容器内部の密閉性が確保されることを確実にする、容器に対するセンタリング支援又は位置決め支援を提供することである。この場合、密閉性とは、容器内部と周辺との間で媒体交換が不可能である完全な密閉性だけでなく、例えば、医療用滅菌容器においてしばしば該当するように、容器に設けられている膜を介してしか媒体交換ができないようにして、容器内部に滅菌されていない媒体を入り込ませないようにする密閉性も意味している。
【課題を解決するための手段】
【０００６】
本発明の課題は、請求項１に基づくセンタリング支援によって解決される。センタリング支援のその他の有利な実施形態は、従属請求項の対象である。
【０００７】
本発明の態様によれば、アクセス開口部のある容器の受け皿と、容器の蓋と、この容器を閉じた状態において容器の受け皿と容器の蓋との間に配置されているシールとを備える容器に対して、センタリング支援が提供されている。このセンタリング支援は、容器の蓋あるいは容器の受け皿の一方に設けられている第１のセンタリング装置と、その容器の蓋あるいは容器の受け皿の他方に設けられている第２のセンタリング装置とを有している。この場合、第１及び第２のセンタリング装置は、容器を閉じた状態において、アクセス開口部の全周に沿ってシールが容器の受け皿及び容器の蓋に確実に接触するように相互作用している。
【０００８】
この場合、アクセス開口部は、これを介して物体が容器の中に運び込まれる、又はここから外へ物体が取り出される開口部であって、容器の場合は、通常、容器の受け皿の上部にある。シールは、通常、環状に形成されており、容器の受け皿又は容器の蓋に取り付けられている。医療用滅菌容器の場合、シールは取外し可能に容器の蓋に取り付けられていることがある。シールを容器の受け皿にも容器の蓋にも取り付けないこともできるが、シールが容器の両方の部品間で緩まずに配置されていれば、開閉時の容器の取扱いは明らかにより迅速かつ容易である。しかしながら、多くの場合、このシールは容器の構成部品の１つに接着され、好ましくは容器の蓋に貼り付けられるか、容器の構成部品の１つに直接射出成形される。当然、このことはすべて、医療用滅菌容器以外の容器でもそのように実施することができる。
【０００９】
このシールの課題は、容器の受け皿の縁と容器の蓋との間で媒体（通常は空気）が流れるのを阻止することである。シールは、容器内部を容器の周辺から確実に分離しなければならない。医療用滅菌容器の場合、このことは、滅菌されていない空気又はその他の滅菌されていない媒体が容器内部に入り込むのを阻止し、それによって容器内にある器具及びその他の物体を確実に無菌状態に保つことに該当する。無菌の媒体交換及び圧力調整は、この場合、例えばフィルター膜又はその他のフィルター装置によって確保することができる。
【００１０】
容器を閉じた状態において、容器の蓋はシールの上にあり、シールは容器の受け皿の上に載っている。この場合、一般的に、シールは容器の受け皿の前壁上に載っている。容器の受け皿と容器の蓋との間でシールをそのように配置する場合、主に、容器の蓋がシールに対して及び／又はシールが容器の受け皿に対して水平方向に移動する、もしくは水平方向にずれるのを阻止するのが必要である。シールが容器の蓋又は容器の受け皿のいずれか一方に取り付けられている場合は、シールとそれぞれ他方の容器部品との間における水平方向のずれだけを考慮するだけでよい。容器の蓋がシールから離れること及び／又はシールが容器の受け皿から離れることは、容器の受け皿に対して容器の蓋を固定するか、又は例えば留め金を用いた閉鎖によって容器の蓋にプリテンションをかけることで防止できる。
【００１１】
そのような構造により、シールは容器の蓋と容器の受け皿との間で密閉機能を確実に果たすことができる。なぜなら、２つの構成部品は、シールとこれら容器構成部品のいずれかとの間にすき間が発生するほど水平方向に互いにずれることができないからである。
【００１２】
本発明の有利な実施形態によれば、センタリング支援がある場合、容器を閉じた状態における第１と第２のセンタリング器具間の隙間は、容器の蓋と容器の受け皿との間の隙間よりも小さい。この場合、容器の蓋と容器の受け皿との間の隙間とは、センタリング支援が設けられていないケースを意味している。センタリング支援付き容器の場合、センタリング支援は、容器の蓋と容器の受け皿との間の隙間を適切に制限し、このことは、第１と第２のセンタリング支援間の隙間が、センタリング支援のない当該容器の受け皿と容器の蓋との間よりも小さい場合にのみ機能する。
【００１３】
容器の蓋と容器の受け皿との間の隙間は、シールの材料及び形、ならびに容器の蓋の形状及びその容器の蓋が載せられる容器の受け皿の縁の形状に大きく左右される。シールは、少なくとも非常に弾性があって柔軟な材料から製造されており、ある程度の幅を有していることで、ユーザーは大きな注意を払わなくても、素早く、簡単に容器の蓋を容器の受け皿の上に載せることができる。容器の蓋が容器の受け皿の上に傾いて載せられると、シールが変形し、容器の受け皿に対する容器の蓋のセンタリングに貢献しない。容器の蓋と容器の受け皿の形状も、素早く、簡単で、確実な容器の閉鎖を可能にする。
【００１４】
本発明のもう１つの有利な実施形態によれば、第１のセンタリング器具が多数のオス型部材を有し、第２のセンタリング器具が多数のメス型部材を有している。この場合、容器の受け皿に対する容器の蓋のセンタリングは、オス型センタリング部材がメス型センタリング部材の中に押し込まれ、これらメス型センタリング部材によって収納されるか、あるいはオス型センタリング部材がメス型センタリング部材に接触することによって行われる。この場合、オス型センタリング部材は、少なくとも部分的に、それぞれ他のセンタリング器具のメス型センタリング部材の方に伸びている。
【００１５】
本発明のもう１つの有利な実施形態によれば、第１と第２のセンタリング器具が、それぞれ少なくとも１つのオス型とメス型のセンタリング部材を有している。そのような実施形態によって、容器の蓋と容器の受け皿には、それぞれオス型とメス型のセンタリング部材を設けることができる。
【００１６】
本発明のその他の有利な実施形態によれば、少なくとも１つのオス型のセンタリング部材が、主に、平行６面体、詳細には直方体、錐体、角錐台、角柱、シリンダ、円錐、円錐台又は部分楕円の形を有している。あるいは、少なくとも１つのオス型センタリング部材が、複数の同一の及び／又は異なる上述の本体から構成されている。付属するメス型センタリング部材は、好ましくは、対応するマイナス形状を有しているため、オス型のセンタリング部材はほとんどポジティブ結合によってメス型センタリング部材の中に収納されている。この代替として、メス型のセンタリング部材は、その他の形を有していてもよく、２つのセンタリング器具相互のポジティブ結合、及びそれに伴うセンタリング又は位置決めは、オス型とメス型のセンタリング部材の軸方向の全長にわたって行われるのではなく、オス型とメス型のセンタリング部材の特定の部分によってのみ行われる。その例が円錐形のオス型センタリング部材であり、これは、シリンダ形のメス型センタリング部材の中に収納されており、このとき、両方のセンタリング部材の円形の底面の半径は実質的に同一である。そのような構成の場合、両方のセンタリング部材間のポジティブ結合は、円錐形のオス型センタリング部材のベース部分においてのみ、センタリング部材の軸に対して横方向に発生する。それ以外では、両方のセンタリング部材間に、隙間又は空洞部が形成されている。
【００１７】
本発明のもう１つの有利な実施形態によれば、少なくとも１つのオス型センタリング部材及び／又はメス型センタリング部材が、少なくとも部分的に円錐形の部分を有しているため、容器の蓋を取り付け始めたときのオス型とメス型のセンタリング部材間の隙間は、容器を閉じた状態のときよりも大きい。この場合、付属するメス型センタリング部材及び／又はオス型センタリング部材は、好ましくは、対応するマイナス形状又はプラス形状を有している。そのような構造によって、容器の蓋は、取付け時にまず大雑把に容器の受け皿に対してセンタリングされるだけでよく、それによって、まず始めに緩めの、オス型センタリング部材と付属のメス型センタリング部材との第１のかみ合わせが達成される。次に、容器の蓋が容器の受け皿の上に載せられると、円錐形部分におけるオス型とメス型のセンタリング部材の断面は段階的又は連続的に互いに近づいていく。従って、有利には、両方のセンタリング部材の形状が対応していることにより、それ以外では発生する空洞部内に汚れが集まることはない。センタリング部材間に空洞部が形成されると、医療用滅菌容器の場合には、その空洞部に汚れが集まり、開ける際に汚れが容器内に落ちる可能性があり、少なくとも見掛け上はそこにある器具及び物体の汚染を引き起こすおそれもあると考えられる。汚れ自体は、一緒に滅菌されているかもしれないが、そのことは汚れから見てとることはできない。さらに、汚れに気づくのは、おそらくその汚れが容器の受け皿の中にあったときであろう。このことは、器具及び装置が滅菌の前に適切に清浄されなかったという印象を与える。この問題は、センタリング部材間の空洞部が生じないようにするか、あるいはそのような空洞部が噴出口を介して周辺部につながっており、それにより必要に応じて汚れを洗い流すことで是正することができる。オス型とメス型のセンタリング部材間に空洞部を作らない場合、メス型センタリング部材の中に集まる汚れが、オス型センタリング部材が完全にメス型センタリング部材の中に収納されることを阻止し、それによってまた容器の蓋を完全に容器の受け皿の上に載せることが阻止され、容器を閉鎖することができない。このことによって、少なくともセンタリング部材に汚染があってはならないことがユーザーに示されるため、ユーザーは、容器を閉める前にこの汚染を取り除くことができる。このように、医療用滅菌容器の汚染を容器の洗浄及び滅菌前に発見して処理することにより、容器を開ける際に汚れが発見され、場合によってはその汚れが容器の中に落ちるという可能性はなくなる。
【００１８】
さらに本発明のその他の有利な実施形態によれば、センタリング器具が、容器を閉じた状態において、このセンタリング器具が容器内部の外に位置しているように配置されている。これにより、容器内部の利用可能なスペースが、センタリング器具によって縮小されることはない。
【００１９】
さらに、これにより、完全に閉められた状態でも容器の蓋が正しく容器の受け皿の上に載っているかどうか、視覚的により良く点検することもできる。
【００２０】
本発明のもう１つの有利な実施形態によれば、第１のセンタリング器具が、直接又は容器の受け皿の外部正面にそれぞれ１つ配置されているフロントパネルを介して外部正面に取り付けられている、及び／又は第２のセンタリング器具が、容器の蓋の少なくとも２つの対向する側面に設けられている閉鎖部材の周辺部に取り付けられている。説明されている第１の形態によって、第１のセンタリング器具を、容器の受け皿に直接又はこれと一緒に形成する必要はなく、第１のセンタリング器具をフロントパネル又はこの部品に取り付けるか、あるいはフロントパネル又はこの部品と一緒に形成し、次に、容器の受け皿に取り付けてよい。容器の正面とフロントパネルとの間には、第１のセンタリング器具を取り付ける構成部品をさらにもう１つ配置することもできる。この構成部品は、例えばベースプレートであってもよく、これは正面に固定され、フロントパネル用の取付け面を提供している。このようにして、第１のセンタリング器具のより簡単な取付け及びより幅広い材料選択が保障される。２つの正面は、（容器の寸法に関して）互いに比較的離れているため、センタリング器具は全体として容器の大部分にかけて伸びており、従って、センタリング器具間に僅かな隙間があっても、容器の受け皿に対する容器の蓋の回しは、センタリング器具が極めて小さな寸法しか持たない場合よりも少なくすることができる。説明されている第２の形態では、第２のセンタリング器具が閉鎖部材の周辺部に設けられており、これらの閉鎖部材の支援によって、容器の蓋は容器の受け皿に保持されるか、又は容器の蓋が容器の受け皿に対して締められる。ユーザーは、閉プロセスの際に閉鎖部材の領域により多くの注意を払う。というのも、閉鎖するにはそれが必要だからである。このことから、第２のセンタリング器具が閉鎖部材の領域にあれば、ユーザーは、容器の受け皿に対して容器の蓋が正しくセンタリングされていることをとりわけ簡単に、すぐに確認することができる。その他に第２の実施形態では、容器の蓋を２つ以上の閉鎖部材によって容器の受け皿に固定し、センタリング部材をそれに応じて配分することも可能である。例えば、容器の蓋の各側面にそれぞれ１つの閉鎖部材を備える正方形容器を設けることもできる。各閉鎖部材の両方の側には、それぞれ１つのオス型及び／又はメス型のセンタリング部材が設けられており、容器の受け皿には、対応する閉鎖部材収納部とメス型及び／又はオス型のセンタリング部材とが装備されている。
【００２１】
特別な形態によれば、センタリング支援が、閉鎖部品であってもよい。例えば、容器の蓋に回転可能に設けられている閉鎖部材にセンタリング部材を設けることもできる。しかしまた、回転可能な閉鎖部材自体がセンタリング部材となることも可能である。このケースでは、容器の蓋が最初に容器の受け皿に載せられる。次に、閉鎖部材が容器の受け皿の方に回転する。この場合、ここではオス型センタリング部材となる閉鎖部材の側面が、メス型センタリング部材となる閉鎖部材収納部の接触面と接触する。回転プロセスの際、閉鎖部材と閉鎖部材収納部との間における側面の接触は、まず、閉鎖部材の回転軸に最も近い領域において形成され、次に、閉鎖部材の自由端に向かって広がっていく。閉鎖部材と閉鎖部材収納部の側面が閉鎖部材の自由端に互いに接近するように、これらの側面を閉鎖部材の軸に対して斜めに配置する場合、このようなやり方でも容器の受け皿に対する容器の蓋の自動センタリングが達成される。閉鎖部材の厚みを特殊な形態にすることによって、あるいは閉鎖部材の長さに沿って湾曲を設けることによって、自動センタリングの動作を調整することができる。
【００２２】
本発明に基づくもう１つの有利な実施形態によれば、第１のセンタリング器具が、４つの平坦な突出部を有しており、これらの突出部は、容器縦軸と容器横軸とに対して外側方向に角度を形成し、これらの突出部は、それぞれが閉鎖収納部の両側において２つのフロントパネルの上側に設けられており、これら２つのフロントパネルは容器の受け皿の２つの外部正面に配置されている。この場合、平坦な突出部は、それらの外側正面の方が中央正面よりも強く傾斜しているため、これら突出部は遠位方向に、主として外側から細くなっている。第２のセンタリング器具は、さらに４つの窪みを有しており、これら窪みは、対応する平坦な突出部を実質的にポジティブ結合によって収納し、それぞれ２つの窪みが、容器の蓋の内部正面とシールとの間に設けられている１つの構成部品の中に形成されている。
【００２３】
本発明の他のもう１つの有利な実施形態によれば、第１のセンタリング器具が、容器の蓋の内側においてシール内部に設けられており、第２のセンタリング器具が、容器の受け皿に設けられている。この形態によって、容器内部に配置されているセンタリング支援が形成される。第１のセンタリング器具はここで、例えば少なくとも２つのオス型センタリング部材から成っていてもよく、これらのセンタリング部材は、容器の蓋の少なくとも２つの異なる側において、シール内部ではあるが容器の縁近くに配置されており、少なくとも部分的に下方に伸びている。この場合、メス型センタリング器具は傾斜した接触面から成り、これら接触面は、容器の受け皿の壁の内側において、容器の受け皿の上縁付近に形成されている。傾斜した接触面は、上から下に見たときに、これら接触面が外側から内側へ通るように形成されている。オス型センタリング部材が１つ以上のメス型センタリング部材と接触する場合、この接触は、閉プロセスのさらなる経過の中で、すなわちすべてのオス型センタリング部材が付属のメス型センタリング部材と接触し、容器が閉じられるまで自動センタリングのために用いられる。
【００２４】
本発明のもう１つの実施形態によれば、第１のセンタリング器具が、偶数のオス型センタリング部材から成り、これらセンタリング部材は、容器の蓋のコーナ及び／又は容器の蓋の各側面の中央に配置されている。この場合、特に有利であるのはコーナへの配置である。なぜなら、このやり方によってセンタリング部材の間隔が最大になり、そのことによって、オス型とメス型のセンタリング部材間にある僅かな隙間は、容器の受け皿に対する容器の蓋の位置に最小の影響しか及ぼさないからである。
【００２５】
本発明のもう１つの有利な実施形態によれば、センタリング器具が、シールよりも高い弾性率を有する材料から成り、好ましくは剛性の高いプラスチック又は金属から成る。これにより、オス型とメス型のセンタリング部材の単純な幾何学的形状によって、良好なセンタリングを確実に行うことができる。金属としては、特にアルミニウム及びアルミニウム合金が考えられ、プラスチックとしては例えばＰＥＥＫが考えられる。シールには、しばしば、非常に低い弾性率を有するシリコーンが用いられるため、センタリング部材にはさまざまな材料が考えられる。しかしまた、オス型センタリング部材をメス型センタリング部材よりも硬い材料から形成したり、オス型とメス型センタリング部材間の摩擦が特に少なくなることを基準として、両方の材料を決定したりすることも考えられる。このことは容器を使用する際の快適性を高める。オス型センタリング部材は、メス型センタリング部材よりも衝撃負荷又はその他の意図しない負荷に晒されていることから、オス型センタリング部材を安定した材料から形成することが提案される。しかし、それだからといって、より柔らかい材料からオス型センタリング部材を形成することが排除されるわけではなく、例えば規定破断箇所でオス型センタリング部材が壊れることによって、オス型センタリング部材を形成する突出部が怪我の原因となるような危険を減らすために、より柔らかい材料からオス型センタリング部材を形成することもできる。このケースでは、オス型及び／又はメス型センタリング部材を交換可能にすることができる。
【００２６】
本発明のもう１つの実施形態によれば、センタリング支援が、回転角３６０°／ｎの点対称構造を有しており、このとき、ｎは正の整数であり、好ましくは１よりも大きい整数である。この実施形態によって、本発明に基づく原理を、例えば三角形、四角形又は六角形の形状を持つ容器にも簡単に適用することができる。しかし、センタリング器具が互いにかみ合えるような、容器の受け皿に対する容器の蓋の位置又は向きがあるだけでなく、容器の蓋が３６０°／ｎ回転できるにもかかわらず、容器の受け皿に適合するというこの構造は、通常の矩形の容器にとっても有利である。また、それぞれの容器の蓋には、容器の受け皿に対してｎ個の正しい位置又は方向があり、正しい位置又は方向は唯一ではない。従って、このような矩形容器の蓋は、前後の区別がなく、容器の受け皿に対して両方の方向に適合するということができよう。
【００２７】
本発明のその他の利点及び特徴は、添付の図及び実施例の詳細な説明から当業者には明白である。
【図面の簡単な説明】
【００２８】
【図１】第１の実施例によるセンタリング支援を備える医療用滅菌容器の等角図である。
【図２】図１の医療用滅菌容器の受け皿の等角図である。
【図３】図１の医療用滅菌容器の蓋の等角図である。
【図４】図３の一部分の透視図である。
【図５】図３の一部分の別の透視図である。
【図６】第１の実施例による２つのメス型センタリング部材を備える構成部品の透視図である。
【図７】図２の医療用滅菌容器の受け皿を前から見た図である。
【図８】図２の医療用滅菌容器の受け皿の一部分を上から見た図である。
【図９】図２の医療用滅菌容器の受け皿の一部分の透視図である。
【図１０】第１の実施例による２つのオス型センタリング部材を備える構成部品の透視図である。
【図１１】図３の容器の蓋の水平断面図である。
【図１２】図１による容器の蓋と容器の受け皿の垂直断面図である。
【図１３】図１による容器の蓋と容器の受け皿の別の垂直断面図である。
【図１４】第２の実施例によるオス型とメス型のセンタリング部材の概要図である。
【図１５】第３の実施例によるオス型とメス型のセンタリング部材の概要図である。
【図１６】第４の実施例によるオス型とメス型のセンタリング部材の概要図である。
【図１７】第５の実施例によるオス型とメス型のセンタリング部材の概要図である。
【発明を実施するための形態】
【００２９】
以下に、図を用いて実施例を詳細に説明する。
【００３０】
本発明の第１の実施例を、図１〜１３を用いて以下に詳細に説明する。
【００３１】
図１に示されているように、第１の実施例の容器１は、容器の受け皿１００及び容器の蓋２００を備える医療用滅菌容器１である。容器の受け皿には、フロントパネル１１０、滅菌表示１１１および取手１１２が装備されている。フロントパネル１１０は、容器の受け皿１００の２つの正面に設けられ、その構造は部分的に異なっていてもよい。容器の蓋２００にはシール２０１が装備され、このシールは容器の蓋２００の縁に沿って通るとともに、容器の蓋２００に接着されており、容器１の内部空間を確実に密閉するために、容器の受け皿１００の縁１０１と相互作用する。容器の蓋２００には２つの留め具２３０が装備されており、これら留め具は回転可能であり、それぞれが、容器の受け皿１００の外部正面に取り付けられている該当する閉鎖収納部１３０の中に挿入でき、そこでロックされることによって、容器の蓋２００と容器の受け皿１００との間の閉鎖が確実に行われる。安全シール３００は、留め具２３０を通して差し込むことができ、閉鎖収納部１３０の中に固定することによって、滅菌工程後に容器１がまだ開けられていないことをユーザーに確実に表示することができる。
【００３２】
オス型センタリング部材１２０から成る第１のセンタリング器具は容器の受け皿１００に設けられており、メス型センタリング部材２２０から成る第２のセンタリング器具は容器の受け皿に設けられている。第１と第２のセンタリング器具は、容器を閉じた状態でシール２０１が容器１の内部へのアクセス開口部の周辺全体に沿って容器の受け皿１００と接触すること、詳細には容器の受け皿１００の縁１０１及び容器の蓋２００と接触することを確実に行う相互作用に適合している。このケースでは、第１と第２のセンタリング器具は、メス型センタリング部材２２０がオス型センタリング部材１２０の上に押し込まれる形で相互作用する。容器１を閉じた状態では、オス型とメス型のセンタリング部材１２０、２２０の間にある程度の隙間しか設けられておらず、この隙間は、受け皿１００に対して蓋が傾いて位置決めされた場合に対抗するシール２０１の許容範囲又は隙間よりも小さいことによって、容器１をシールで安全に密閉することが、このような形で確実に行われる。この場合、シール２０１は、容器１にセンタリング器具が設けられていない場合に、シール２０１の密閉作用が失われることなく、受け皿１００に対して蓋２００を位置決めする際にこのシールによってより大きな隙間が許されるように形成され、配置されている。このケースにおけるシール２０１は、２つのシールリップを備える二重シールである。１つ目のシールリップは、上から容器の受け皿１００の縁１０１の上に載り、それによって２つ目のシールリップが容器の受け皿１００の外壁に向かって外から押される。このことは、第１のシールリップが上方へ移動し、それによって第２のシールリップが内側にねじれることによって生じる。そのようなシールは、蓋２００が受け皿１００の上に斜めに載せられた場合に対して、非常に高い許容範囲を有している。もちろん、本発明は、例えば１つのシールリップだけを備えるシールなど、その他のシールが装備されている別の容器及びコンテナにも適用できる。
【００３３】
この実施例によるオス型センタリング部材１２０は、主として平坦な本体から成る。図７に従って容器１を前から見た図では、オス型センタリング部材１２０が急傾斜の内壁とその反対側のより滑らかな傾斜の外壁とを有しているため、これらは台形に近い形をしている。オス型センタリング部材の２つの側壁は、互いにほぼ平行である。この実施例によるメス型センタリング部材２２０は、オス型センタリング部材１２０の形に一致する形を持ち、僅かだけサイズが大きいため、オス型センタリング部材１２０を無理なくメス型センタリング部材２２０の中に収納することができる。
【００３４】
オス型センタリング部材１２０の比較的傾斜の緩やかな外壁と比較的傾斜の急な内壁とにより、これら部材は円錐形に形成されている。このような形で、オス型とメス型のセンタリング部材間の隙間は、容器の蓋の取り付け始めの方が、容器を閉じた状態よりも大きくなる。オス型センタリング部材１２０とメス型のセンタリング部材２２０とは、それぞれ容器内部の外に配置されている。この場合、オス型センタリング部材１２０は、フロントパネル１１０に配置されており、フロントパネルは容器の受け皿１００の外部正面に取り付けられている。メス型のセンタリング部材２２０は、それぞれペアで構成部品２１０に設けられており、この構成部品は、容器の蓋２００、すなわち容器の蓋２００の正面において、シール２０１と留め具２３０との間で留め具２３０の付近に取り付けられている。容器の受け皿１００の上縁部１０１は、容器１の場合、アクセス開口部を決定しており、シール２０１は容器受け皿１００の上縁部１０１の経路に適合している。
【００３５】
従って、この実施例の第１のセンタリング器具は、４つの平坦な突出部１２０、つまり４つのオス型センタリング部材１２０を有している。特に図８及び９に示されているように、これら部材は外側方向に、容器縦軸及び容器横軸に対して角度を形成しており、このとき、オス型センタリング部材１２０は、閉鎖収納部１３０のそれぞれ両方の側において２つのフロントパネル１１０の上部に設けられており、これらフロントパネルは、容器受け皿１００の２つの外部正面に配置されている。オス型センタリング部材１２０は、その外側正面の方がその中央正面よりもより大きく傾斜しているため、図２、７、８及び１２でよく分かるように、突出部は遠位方向に、主として外側から細くなっている。
【００３６】
この実施例の場合、オス型センタリング部材は、フロントパネル１１０と同じ材料、すなわちステンレス鋼から形成されている。メス型センタリング部材２２０は、構成部品２１０内に形成されており、この例では、この構成部品はプラスチック製であり、詳細にはＰＥＥＫ（ポリエーテルエーテルケトン）から製造されている。このように、センタリング器具はシールよりも高い弾性率を有する材料から形成されており、このケースではシールがシリコーンから製造されている。
【００３７】
この実施例によるセンタリング支援は、それぞれ４つのオス型とメス型のセンタリング部材１２０、２２０から成り、１８０°の回転角を備える点対称構造を有している。このことは、容器の蓋２００が、１８０°回転させた２つの異なる位置で容器の受け皿１００の上に載せられることを意味している。
【００３８】
図１２及び１３には、どのようにオス型センタリング部材１２０がメス型センタリング部材２２０の中に収納されているかが示されている。
【００３９】
以下に、本発明の第２の実施例を、図１４を用いて説明する。両方の実施例の特徴の大部分は同一であるため、以下では、第１の実施例と異なる点だけに言及する。
【００４０】
この実施例のオス型センタリング部材１２０は、三角柱を取り除いた直方体から成る。このようにして傾斜面１２０Ａ１が生じ、この傾斜面はオス型センタリング部材１２０Ａにおいて円錐部分を形成し、この場合、容器受け皿１００に対する容器の蓋２００の位置調整を支援する。メス型センタリング部材２２０Ａは、角柱形の開口部２２０Ａの形状を有している。従って、オス型センタリング部材１２０Ａとメス型センタリング部材２２０Ａとの間には、空洞部Ｈが形成される。すなわち、オス型とメス型のセンタリング部材１２０Ａと２２０Ａの形状は、対応して形成されている必要はない。
【００４１】
さらに、この実施例では、オス型のセンタリング部材１２０Ａが容器の蓋２００に設けられ、メス型のセンタリング部材２２０Ａが容器の受け皿１００に設けられている。この場合、センタリング部材１２０Ａ、２２０Ａは、それぞれ直接又は間接的にさらなる構成部品を介して容器の受け皿１００及び容器の蓋２００に設けられていてもよい。この実施例では、さらに、容器が正方形である。これに加え、容器の蓋２００には４つの留め具２３０が設けられており、容器の蓋２００の各側面の中央にそれぞれ１つ取り付けられている。容器の受け皿１００には、これに対応して４つの閉鎖収納部１１０が、容器の受け皿１００の各側面の中央に装備されている。容器１の前面と後面には、それぞれフロントパネル１１０が装備されており、このフロントパネルの中に、それぞれ１つの閉鎖収納部１１０が形成されている。容器１の２つの側面の壁に設けられている閉鎖収納部１１０は、追加パネルに形成されており、このパネルは容器の受け皿１００の側壁に外側から取り付けられている。それぞれ２つのメス型のセンタリング部材２２０Ａが、各フロントパネル１１０及び各側面パネルに形成されている。容器の蓋２００には、この実施例では、４つの構成部品２１０が装備されており、これらの構成部品２１０の中にオス型センタリング部材１２０Ａが形成されている。このようにして、４つの異なる位置で、すなわちそれぞれ９０°水平に回転させて容器の受け皿１００の上に載せることのできる容器の蓋２００が得られる。空洞部Ｈ内に汚れが集まるのを阻止するため、空洞部Ｈは、ダクトを介して周辺部に接続させることができるため、洗浄プロセスの際に、空洞部Ｈにある汚れは必要に応じて洗浄液で洗い流される。この代替として、メス型のセンタリング部材２２０Ａは、オス型センタリング部材１１０Ａと反対の側面が完全に開いていてもよく、すなわち、ここでは矩形の貫通穴として形成することもできる。
【００４２】
以下に、本発明の第３の実施例を、図１５を用いて詳しく説明する。この場合も、第１の実施例と異なる点のみが説明されている。
【００４３】
この実施例では、オス型のセンタリング部材１２０Ｂが、僅かに先端を平滑にした円錐によって形成される。従って、この実施例におけるオス型センタリング部材１２０Ｂは、回転対称に形成されている。メス型センタリング部材２２０Ｂは、およそ円錐形の空洞部の形状を有し、この空洞部はオス型センタリング部材１２０Ｂに向かって開いている。このセンタリング部材１２０Ｂ、２２０Ｂでも、代替として、やはりダクトを介して周辺と接続が可能な空洞部Ｈが形成される。さらに、この実施例では、それぞれのオス型センタリング部材１２０Ｂとメス型センタリング部材２２０Ｂとが容器の受け皿１００及び容器の蓋２００に、これらの周辺方向に交互に設けられており、このとき、オス型センタリング部材１２０Ｂとメス型センタリング部材２２０Ｂとは常に向かい合っている。オス型とメス型のセンタリング部材１２０Ｂ、２２０Ｂのこの配置により、容器の受け皿１００及び容器の蓋２００の点対称構造が維持される。すなわち、容器の蓋２００は、１８０°回転させた２つの位置で常に容器の受け皿１００の上に載せることができる。
【００４４】
以下に、本発明の第４の実施例を、図１６を用いて詳しく説明する。この場合も、第１の実施例と異なる点のみが説明されている。この実施例のオス型センタリング部材１２０Ｃは、４面が傾斜した角錐として形成されている。図１７は、オス型とメス型のセンタリング部材１２０Ｃ、２２０Ｃを両方の主方向に切断した断面を示している。このことは、オス型センタリング部材１２０Ｃが２つの急傾斜の勾配１２０Ｃ１と２つの緩傾斜の勾配１２０Ｃ２とを有していることを意味している。２つの急傾斜の勾配１２０Ｃ１は、それぞれ容器１の中心の方に配置されており、２つの緩傾斜の勾配１２０Ｃ２は、それぞれ容器１の中心から離れて配置されている。メス型センタリング部材２２０Ｃは、オス型センタリング部材１２０Ｃに対応した形状を持つ。このケースでも、ダクトが設けられていてもよく、このダクトは、オス型とメス型のセンタリング部材１２０Ｃ、２２０Ｃ間に形成される隙間Ｓを周辺部と接続する。このようにして、メス型センタリング部材１２０Ｃの中に汚れを蓄積させないようにすることで、オス型センタリング部材１２０Ｃがメス型センタリング部材２２０Ｃの中に正しく挿入されるのを確実に行うことができる。好ましくは、そのようなダクトがメス型センタリング部材の底面（最も深い部分）に、又は底面付近に形成される。
【００４５】
もちろん、この場合も、その他の実施例と同様に、オス型とメス型のセンタリング部材の急傾斜の勾配を外側に配置することも可能である。好ましくは、センタリング部材が点対称に設けられることだけに注意しなければならない。
【００４６】
以下に、本発明の第５の実施例を、図１７を用いて説明する。両方の実施例の特徴の大部分は同一であるため、以下では、同じく第１の実施例と異なる点だけに言及する。
【００４７】
この実施例のオス型センタリング部材１２０Ｄは、シリンダ形ベース１２０Ｄ１、円錐台形の中間部１２０Ｄ２及び再びシリンダ形の先端部１２０Ｄ３という３つの部分から形成されている。メス型センタリング部材２２０Ｄは、対応するマイナス形状を持ち、このとき、２つのセンタリング部材１２０Ｄ、２２０Ｄとの間には、やはり狭いすき間Ｓが形成されている。そのようなセンタリング部材１２０Ｄ、２２０Ｄが有利であるのは、容器の蓋２００を容器の受け皿１００の上に載せている間、容器の蓋２００と容器の受け皿１００との間に、まず比較的大きな隙間ができるからである。というのも、最初に、オス型センタリング部材１２０Ｄの先端部１２０Ｄ３だけをメス型センタリング部材２２０Ｄの中に挿入する必要があるからである。さらに容器の受け皿１００への容器の蓋２００の取付けを続行すると、メス型センタリング部材２２０Ｄの境界が、オス型センタリング部材１２０Ｄの中間部１２０Ｄ２の傾斜面に沿って、ベース１２０Ｄ１もメス型センタリング部材２２０Ｄの中に挿入するまで滑り、それによって、中間部１２０Ｄ２の傾斜した表面が、メス型センタリング部材２２０Ｄの境界に接触し、容器の受け皿１００に対する容器の蓋２００の自動センタリングに作用する。
【００４８】
さらに、オス型とメス型のセンタリング部材は、容器の蓋が完全に容器の受け皿に対してセンタリングされている場合、すなわち、オス型センタリング部材が完全にメス型センタリング部材の中に収納されている場合にのみ、閉鎖部材２１０を閉鎖収納部１１０の中に挿入できるように形成され、そのように寸法決めされるべきである。
【００４９】
もう１つの実施例によれば、センタリング部材が容器内部に設けられている。そのようにセンタリング面を容器の受け皿のコーナ領域に設ける場合、これらのセンタリング面は、容器の受け皿１００の上縁部１０１から底面に向かって内側へ通じている。これらのセンタリング面はメス型センタリング部材に該当し、例えば、容器の蓋２００は容器の受け皿１００上に載せられながら、容器の蓋２００の内側にあるシール２０１の範囲内において容器の蓋２００のコーナ領域内に設けられている棒状のセンタリング部材がこれらセンタリング面に沿ってスライドする。棒状のセンタリング部材は、オス型センタリング部材に該当する。
【００５０】
容器の受け皿に設けられているセンタリング部材は、すべての実施例において、直接容器の受け皿と一緒に形成されていてもよく、あるいはこれらのセンタリング部材は、フロントパネル又はその他のパネルに配置されているか、あるいは容器の受け皿に設けられているその他の構成部品に配置されていてもよい。センタリング部材は、ペアで配置されている必要もない。１種類の奇数のセンタリング部材が設けられていてもよく、この場合は、対応する数の別の種類のセンタリング部材が設けられている。また、全体としてオス型センタリング部材よりも多くのメス型センタリング部材が設けられていてもよく、それによって、いくつかのメス型センタリング部材は、容器の受け皿に対して、容器の蓋の複数の位置のうち１つ又は僅かな数の位置においてのみ使用される。つまり、例えば正方形の容器１の場合、対向して配置されている２つの留め具２３０が容器の蓋２００に設けられていてもよく、このとき、各留め具２３０の左右には、それぞれ１つのオス型センタリング部材１２０、１２０Ａ、１２０Ｂ、１２０Ｃ、１２０Ｄが設けられている。容器の受け皿１００には、２つのフロントパネル１１０と２つのサイドパネルが設けられており、これらはすべて、それぞれに閉鎖収納部１３０が装備されており、このとき、各閉鎖収納部１３０の左右には、それぞれ１つのメス型センタリング部材２２０、２２０Ａ、２２０Ｂ、２２０Ｃ、２２０Ｄが設けられている。容器の蓋２００は、相変わらず、４か所で容器の蓋１００の上に載せることができるが、メス型センタリング部材の半分しかオス型の対応物を収納することができない。
【００５１】
これらの利点及びその他の利点は、当業者には出願書類の研究から明らかである。ここで個々の実施例について説明されている多くの特徴は、その他の実施例との組合せにおいても実現することができ、例えば、オス型センタリング部材１２０を容器の蓋に設け、対応するメス型センタリング部材２２０を容器の受け皿１００に設けることも可能である。同様に、示されている材料はすべての実施例に適用することができる。センタリング部材は、金属又はプラスチック又はその両方から形成することができる。センタリング部材がプラスチックから形成されている場合、これらセンタリング部材がＵ字形の軸方向断面を有している場合はとくに有利である。なぜなら、このようにすることで、全体を通じてほぼ同じ壁の厚みを有するセンタリング部材が製造されるからである。統一された壁の厚さは、射出成形法において、冷却工程中に平坦ではない表面が生じないという点で有利であり、この平坦ではない表面は、大きく異なる壁の厚さが構成部品に形成される場合に頻繁に生じる。有利には、そのためのセンタリング部材が、正面の反対側にある側面、すなわちユーザーから直接見えない、窪みを備える側面によって形成される。全体として、個々の実施例のすべての特徴は、任意に適切に組み合わせることができる。
【図１】
2015529601.tif 000003
【図２】
2015529601.tif 000004
【図３】
2015529601.tif 000005
【図４】
2015529601.tif 000006
【図５】
2015529601.tif 000007
【図６】
2015529601.tif 000008
【図７】
2015529601.tif 000009
【図８】
2015529601.tif 000010
【図９】
2015529601.tif 000011
【図１０】
2015529601.tif 000012
【図１１】
2015529601.tif 000013
【図１２】
2015529601.tif 000014
【図１３】
2015529601.tif 000015
【図１４】
2015529601.tif 000016
【図１５】
2015529601.tif 000017
【図１６】
2015529601.tif 000018
【図１７】
2015529601.tif 000019
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
容器（１）であって、
アクセス開口部のある容器の受け皿（１００）と、
容器の蓋と、
前記容器（１）を閉じた状態において前記容器の受け皿（１００）と前記容器の蓋（２００）との間に配置されているシール（２０１）であって、前記容器を閉じた状態において、前記アクセス開口部の全周に沿って前記容器の受け皿（１００）及び前記容器の蓋（２００）に確実に接触するように相互作用しているシール（２０１）と、
センタリング支援（１２０、２２０）と
を備え、
前記センタリング支援（１２０、２２０）は、
前記容器の蓋（２００）あるいは前記容器の受け皿（１００）の一方に設けられている第１のセンタリング器具（１２０）と、
前記容器の蓋（２００）あるいは前記容器の受け皿（１００）の他方に設けられている第２のセンタリング器具（２２０）と
を有し、
前記センタリング器具（１２０、２２０）が、前記シール（２０１）よりも高い弾性率を有する材料から成り、好ましくは剛性の高いプラスチック又は金属から成ることを特徴とする、容器（１）。
【請求項２】
前記容器（１）を閉じた状態における前記第１と前記第２のセンタリング器具（１２０、２２０）間の隙間が、前記センタリング器具（１２０、２２０）を設けていない場合における前記容器の蓋（２００）と前記容器の受け皿（１００）との間の隙間よりも小さいことを特徴とする、請求項１に記載の容器（１）。
【請求項３】
前記第１のセンタリング器具（１２０）が多数のオス型部材（１２０、１２０Ａ、１２０Ｂ、１２０Ｃ、１２０Ｄ）を有し、前記第２のセンタリング器具（２２０）が多数のメス型部材（２２０、２２０Ａ、２２０Ｂ、２２０Ｃ、２２０Ｄ）を有していることを特徴とする、請求項１又は２に記載の容器（１）。
【請求項４】
前記第１と前記第２のセンタリング器具（１２０、２２０）が、それぞれ少なくとも１つのオス型とメス型のセンタリング部材（１２０、１２０Ａ、１２０Ｂ、１２０Ｃ、１２０Ｄ；２２０、２２０Ａ、２２０Ｂ、２２０Ｃ、２２０Ｄ）を有していることを特徴とする、請求項１〜３のいずれか一項に記載の容器（１）。
【請求項５】
少なくとも１つの前記オス型センタリング部材（１２０、１２０Ａ、１２０Ｂ、１２０Ｃ、１２０Ｄ）が、主に、平行６面体、詳細には直方体、錐体、角錐台、角柱、シリンダ、円錐、円錐台、部分楕円、あるいは複数の同一の及び／又は異なる上述の本体から構成されている本体の形を有し、付属する前記メス型センタリング部材（２２０、２２０Ａ、２２０Ｃ、２２０Ｄ）は、好ましくは、対応するマイナス形状を有していることを特徴とする、請求項３又は４に記載の容器（１）。
【請求項６】
少なくとも１つの前記オス型センタリング部材（１２０）及び／又は前記メス型センタリング部材（２２０）が、少なくとも部分的に円錐形の部分（１２０Ａ１、１２０Ｂ、１２０Ｃ１、１２０Ｃ２、１２０Ｄ２；２２０Ｃ、２２０Ｄ）を有しているため、前記容器の蓋（２００）を取り付け始めたときの前記オス型と前記メス型のセンタリング部材（１２０、２２０）間の隙間は、前記容器（１）を閉じた状態のときよりも大きく、付属する前記メス型センタリング部材（２２０）及び／又は前記オス型センタリング部材（１２０）が、好ましくは、対応するマイナス形状又はプラス形状を有していることを特徴とする、請求項３〜５のいずれか一項に記載の容器（１）。
【請求項７】
前記センタリング器具（１２０、２２０）が、前記容器（１）を閉じた状態において、前記センタリング器具が容器内部の外に位置しているように配置されていることを特徴とする、請求項１〜６のいずれか一項に記載の容器（１）。
【請求項８】
前記第１のセンタリング器具（１２０）が、直接又は前記容器の受け皿（１００）の外部正面にそれぞれ１つ配置されているフロントパネル（１１０）を介して、前記容器の受け皿（１００）の前記外部正面に取り付けられている、及び／又は前記第２のセンタリング器具（２２０）が、前記容器の蓋（２００）の少なくとも２つの対向する側面に設けられている閉鎖部材の周辺部に取り付けられていることを特徴とする、請求項７に記載の容器（１）。
【請求項９】
前記第１のセンタリング器具（１２０）が、４つの平坦な突出部（１２０）を有しており、該突出部は、容器縦軸と容器横軸とに対して外側方向に角度を形成し、前記突出部（１２０）は、それぞれが閉鎖収納部（１３０）の両側において２つのフロントパネル（１１０）の上側に設けられており、前記２つのフロントパネルは前記容器の受け皿（１００）の２つの外部正面に配置されており、
平坦な前記突出部（１２０）は、それらの外側正面の方が中央正面よりも強く傾斜しているため、前記突出部は遠位方向に、主として外側から細くなっており、
前記第２のセンタリング器具（２２０）は、４つの窪みを有しており、前記窪みは、対応する平坦な前記突出部を実質的にポジティブ結合によって収納し、
それぞれ２つの窪み（２２０）が、前記容器の蓋（２００）の内部正面と前記シール（２０１）との間に設けられている１つの構成部品（２１０）の中に形成されていることを特徴とする、請求項１〜７のいずれか一項に記載の容器（１）。
【請求項１０】
前記第１のセンタリング器具（１２０）が、前記容器の蓋（２００）の内側において前記シール（２０１）内部に設けられており、前記第２のセンタリング器具（２００）が、前記容器の受け皿（１００）に設けられていることを特徴とする、請求項１〜６のいずれか一項に記載の容器（１）。
【請求項１１】
前記第１のセンタリング器具（１２０）が、偶数のオス型センタリング部材（１２０）から成り、該センタリング部材は、前記容器の蓋（２００）のコーナ及び／又は前記容器の蓋（２００）の各側面の中央に配置されていることを特徴とする、請求項３〜１０のいずれか一項に記載の容器（１）。
【請求項１２】
前記センタリング支援（１２０、２２０）が、回転角３６０°／ｎの点対称構造を有しており、このとき、ｎは正の整数であり、好ましくは１よりも大きい整数であることを特徴とする、請求項１〜１１のいずれか一項に記載の容器（１）。
【手続補正２】
【補正対象書類名】明細書
【補正対象項目名】００５１
【補正方法】変更
【補正の内容】
【００５１】
これらの利点及びその他の利点は、当業者には出願書類の研究から明らかである。ここで個々の実施例について説明されている多くの特徴は、その他の実施例との組合せにおいても実現することができ、例えば、オス型センタリング部材１２０を容器の蓋に設け、対応するメス型センタリング部材２２０を容器の受け皿１００に設けることも可能である。同様に、示されている材料はすべての実施例に適用することができる。センタリング部材は、金属又はプラスチック又はその両方から形成することができる。センタリング部材がプラスチックから形成されている場合、これらセンタリング部材がＵ字形の軸方向断面を有している場合はとくに有利である。なぜなら、このようにすることで、全体を通じてほぼ同じ壁の厚みを有するセンタリング部材が製造されるからである。統一された壁の厚さは、射出成形法において、冷却工程中に平坦ではない表面が生じないという点で有利であり、この平坦ではない表面は、大きく異なる壁の厚さが構成部品に形成される場合に頻繁に生じる。有利には、そのためのセンタリング部材が、正面の反対側にある側面、すなわちユーザーから直接見えない、窪みを備える側面によって形成される。全体として、個々の実施例のすべての特徴は、任意に適切に組み合わせることができる。
以下の項目は、国際出願時の特許請求の範囲に記載の要素である。
［項目１］
アクセス開口部のある容器の受け皿と、
容器の蓋と、
前記容器を閉じた状態において前記容器の受け皿と前記容器の蓋との間に配置されているシールと
を備える容器に対するセンタリング支援であって、
第１のセンタリング器具が前記容器の蓋あるいは前記容器の受け皿の一方に設けられ、
第２のセンタリング器具が前記容器の蓋あるいは前記容器の受け皿の他方に設けられており、
前記第１及び前記第２のセンタリング器具は、前記容器を閉じた状態において、前記アクセス開口部の全周に沿って前記シールが前記容器の受け皿及び前記容器の蓋に確実に接触するように相互作用していることを特徴とする、センタリング支援。
［項目２］
前記容器を閉じた状態における前記第１と前記第２のセンタリング器具間の遊びが、前記センタリング器具を設けていない場合における前記容器の蓋と前記容器の受け皿との間の遊びよりも小さいことを特徴とする、項目１に記載のセンタリング支援。
［項目３］
前記第１のセンタリング器具が多数のオス型部材を有し、前記第２のセンタリング器具が多数のメス型部材を有していることを特徴とする、項目１又は２に記載のセンタリング支援。
［項目４］
前記第１と前記第２のセンタリング器具が、それぞれ少なくとも１つのオス型とメス型のセンタリング部材を有していることを特徴とする、項目１〜３のいずれか一項に記載のセンタリング支援。
［項目５］
少なくとも１つの前記オス型センタリング部材が、主に、平行６面体、詳細には直方体、錐体、角錐台、角柱、シリンダ、円錐、円錐台、部分楕円、あるいは複数の同一の及び／又は異なる上述の本体から構成されている本体の形を有し、付属する前記メス型センタリング部材は、好ましくは、対応するマイナス形状を有していることを特徴とする、項目３又は４に記載のセンタリング支援。
［項目６］
少なくとも１つの前記オス型センタリング部材及び／又は前記メス型センタリング部材が、少なくとも部分的に円錐形の部分を有しているため、前記容器の蓋を取り付け始めたときの前記オス型と前記メス型のセンタリング部材間の遊びは、前記容器を閉じた状態のときよりも大きく、付属する前記メス型センタリング部材及び／又は前記オス型センタリング部材が、好ましくは、対応するマイナス形状又はプラス形状を有していることを特徴とする、項目３〜５のいずれか一項に記載のセンタリング支援。
［項目７］
前記センタリング器具が、前記容器を閉じた状態において、前記センタリング器具が容器内部の外に位置しているように配置されていることを特徴とする、項目１〜６のいずれか一項に記載のセンタリング支援。
［項目８］
前記第１のセンタリング器具が、直接又は前記容器の受け皿の外部正面にそれぞれ１つ配置されているフロントパネルを介して前記外部正面に取り付けられている、及び／又は前記第２のセンタリング器具が、前記容器の蓋の少なくとも２つの対向する側面に設けられている閉鎖部材の周辺部に取り付けられていることを特徴とする、項目７に記載のセンタリング支援。
［項目９］
前記第１のセンタリング器具が、４つの平坦な突出部を有しており、該突出部は、容器縦軸と容器横軸とに対して外側方向に角度を形成し、前記突出部は、それぞれが閉鎖収納部の両側において２つのフロントパネルの上側に設けられており、前記２つのフロントパネルは前記容器の受け皿の２つの外部正面に配置されており、
平坦な前記突出部は、それらの外側正面の方が中央正面よりも強く傾斜しているため、前記突出部は遠位方向に、主として外側から細くなっており、
前記第２のセンタリング器具は、４つの窪みを有しており、前記窪みは、対応する平坦な前記突出部を実質的にポジティブ結合によって収納し、
それぞれ２つの窪みが、前記容器の蓋の内部正面と前記シールとの間に設けられている１つの構成部品の中に形成されていることを特徴とする、項目１〜７のいずれか一項に記載のセンタリング支援。
［項目１０］
前記第１のセンタリング器具が、前記容器の蓋の内側において前記シール内部に設けられており、前記第２のセンタリング器具が、前記容器の受け皿に設けられていることを特徴とする、項目１〜６のいずれか一項に記載のセンタリング支援。
［項目１１］
前記第１のセンタリング器具が、偶数のオス型センタリング部材から成り、該センタリング部材は、前記容器の蓋のコーナ及び／又は前記容器の蓋の各側面の中央に配置されていることを特徴とする、項目３〜１０のいずれか一項に記載のセンタリング支援。
［項目１２］
前記センタリング器具が、前記シールよりも高い弾性率を有する材料から成り、好ましくは剛性の高いプラスチック又は金属から成ることを特徴とする、項目１〜１１のいずれか一項に記載のセンタリング支援。
［項目１３］
前記センタリング支援が、回転角３６０°／ｎの点対称構造を有しており、このとき、ｎは正の整数であり、好ましくは１よりも大きい整数であることを特徴とする、項目１〜１２のいずれか一項に記載のセンタリング支援。
【国際調査報告】
2015529601.tif 000020
2015529601.tif 000021
2015529601.tif 000022
2015529601.tif 000023